(57)【要約】【課題】  掛けふとんや敷きふとん又は敷きマット内に供給される空気温度を室内空気温度に左右されずに一定に制御可能とすることにより、快適睡眠条件をもたらせるエアーコントロールふとんを提供すること。【解決手段】  室内空気を加熱して温風として供給することが可能な送風装置１と、送風装置１からの供給空気を通風可能に形成した掛けふとん２と、送風装置１からの供給空気を通風可能に形成した敷きふとん３とを備えている。また、送風装置１は、送風機１３と、送風機１３から吹き出される送風空気を加熱する加熱ヒータ１６と、掛けふとん２及び敷きふとん３に供給される送風装置１からの供給空気温度を検出する温度センサ６と、温度センサ６が検出する供給空気温度に基づき供給空気温度を所定温度に制御するように加熱ヒータ１６の加熱容量を制御する制御装置２０とを備えている。なお、温度センサ６は敷きふとん３内に配置されている。【選択図】        図１
2005168621.tif 000002
【特許請求の範囲】
【請求項１】
室内空気を加熱して温風として供給することが可能な送風装置と、送風装置からの供給空気を通風可能に形成した掛けふとんと、送風装置からの供給空気を通風可能に形成した敷きふとんとを備え、
前記送風装置は、送風機と、送風機から吹き出される送風空気を加熱する加熱ヒータと、掛けふとん及び敷きふとんに供給される送風装置からの供給空気温度を検出する温度センサと、前記温度センサが検出する供給空気温度に基づき供給空気温度を所定温度に制御するように加熱ヒータの加熱容量を制御する制御装置とを備えるとともに、前記温度センサが敷きふとん内に配置されてなることを特徴とするエアーコントロールふとん。
【請求項２】
前記温度センサは、敷きふとん内の足元付近に設置されてなることを特徴とする請求項１記載のエアーコントロールふとん。
【請求項３】
請求項1又は２記載のエアーコントロールふとんは、前記送風装置と敷きふとんとを接続する伸縮ホースを備え、前記温度センサと前記制御装置とを接続する連絡配線が前記伸縮ホース内に配置されてなることを特徴とする請求項1記載のエアーコントロールふとん。
【請求項４】
前記伸縮ホースは、鋼線をコイル状の骨組みとして蛇腹状に伸縮自在に形成されてなり、この伸縮ホース内において前記連絡配線がコイル状鋼線に沿うようにコイル状に配置されていることを特徴とする請求項３記載のエアーコントロールふとん。
【請求項５】
前記伸縮ホースは敷きふとんに設けられたホース接手に対し接手部により着脱自在に接続され、さらに、この接手部には前記温度センサのリード線端子を着脱自在に接続可能とする接続端子が設けられ、この接続端子を介して前記温度センサが前記制御装置に接続されてなることを特徴とする請求項３〜５の何れか１項に記載のエアーコントロールふとん。
【発明の詳細な説明】
【技術分野】
【０００１】
この発明は、掛けふとん及び敷きふとん内に温風を送り込んで快適な就寝環境を作り出すエアーコントロールふとんに関する。
【背景技術】
【０００２】
快適な眠りを求めるには、ふとんの中の温湿度を快適条件にコントロールすることが肝要である。ふとんの中の温湿度が適切でない場合は、次のような問題が生ずる。ふとんの中の温度が高い場合は、発汗量が増え、汗が体温を奪って体を冷やしてしまう。逆に、ふとんの中の温度が低い場合は、手足の温度が上がりにくく寝付きが悪くなる。また、ふとんの中の湿度が高い場合は、不快感を覚え寝返りの回数が増え熟睡できなくなるばかりでなく、雑菌繁殖の要因になったり、床ずれが生じ易くなったりする。逆に、ふとんの中の湿度が低い場合は、喉や肌が乾燥し病気を併発し易くなる。
【０００３】
このような問題に対し、従来、室内空気を加熱して温風として供給することが可能な送風装置と掛けふとん及び敷きふとん又は敷きマット内とをホースで接続し、送風装置から掛けふとん及び敷きふとん又は敷きマット内に温風（室内空気温度が高い場合は室内空気をそのまま）送り込んで、ふとん内部の温湿度を快適にしようとするエアーコントロールふとんが市販され、特許文献１及び特許文献２などにも提案されている。
また、上記従来市販のエアーコントロールふとんでは、送風装置の出口に供給空気温度を検出する温度センサを設け、送風装置の出口の供給空気温度を一定に制御するように行われていた。なお、上記特許文献１及び２のエアーコントロールふとんでは、送風装置からの供給空気温度をどのように制御するかについては記載されていない。
【特許文献１】特開平８−２３７９２５号公報
【特許文献２】特許第３１８１１８２号公報
【発明の開示】
【発明が解決しようとする課題】
【０００４】
しかしながら、従来市販品では、送風装置の出口の供給空気温度を一定に制御していたため、掛けふとんや敷きふとん又は敷きマット内に供給する供給空気温度を一定に制御することができていなかった。例えば、送風装置から温風を供給する場合、温風は送風装置とふとんとを接続するホースで冷却される上、この冷却量は室内空気温度により異なってくるため、送風装置から一定温度の温風を供給しても、ふとん内に供給される供給空気温度を一定に制御することにはならない。
【０００５】
本発明は、従来技術におけるこのような問題点を解決するためになされたものである。本発明の目的は、掛けふとんや敷きふとん又は敷きマット内に供給される空気温度を室内空気温度に左右されずに一定に制御可能とすることにより、快適睡眠条件をもたらせるエアーコントロールふとんを提供することにある。
【課題を解決するための手段】
【０００６】
本発明は、上記課題を解決するものであって、室内空気を加熱して温風として供給することが可能な送風装置と、送風装置からの供給空気を通風可能に形成した掛けふとんと、送風装置からの供給空気を通風可能に形成した敷きふとんとを備え、前記送風装置は、送風機と、送風機から吹き出される送風空気を加熱する加熱ヒータと、掛けふとん及び敷きふとんに供給される送風装置からの供給空気温度を検出する温度センサと、前記温度センサが検出する供給空気温度に基づき供給空気温度を所定温度に制御するように加熱ヒータの加熱容量を制御する制御装置とを備えるとともに、前記温度センサが敷きふとん内に配置されてなることを特徴とする。
【０００７】
また、前記温度センサは、敷きふとん内の足元付近に設置するのが好ましい。
【０００８】
また、このように構成されたエアーコントロールふとんにおいて、前記送風装置と敷きふとんとを伸縮ホースで接続し、この伸縮ホース内に温度センサと制御装置とを接続する連絡配線を配置してもよい。
【０００９】
また、上記伸縮ホースを、鋼線をコイル状の骨組みとして蛇腹状に伸縮自在に形成したものとし、この伸縮ホース内において前記連絡配線をコイル状鋼線に沿うようにコイル状に配置してもよい。
【００１０】
また、この発明において、前記伸縮ホースは、敷きふとんに設けられたホース接手に対し接手部により着脱自在に接続され、さらに、この接手部には前記温度センサのリード線端子を着脱自在に接続可能とする接続端子が設けられ、この接続端子を介して前記温度センサが前記制御装置に接続されてなるように構成してもよい。
【発明の効果】
【００１１】
本発明に係るエアーコントロールふとんによれば、掛けふとん及び敷きふとんに供給される送風装置からの供給空気温度を検出する温度センサが敷きふとん内に配置されているので、室内空気温度などに影響されることなく、制御対象であるふとん内に供給される供給空気温度を直接制御することができる。これによりふとん内の温湿度をより一層快適状態に保持することができる。
【００１２】
また、本発明において、前記温度センサを敷きふとん内の足元付近の中央部に設置すると、人体に近い部分であって、睡眠中寝返りになどによる力が温度センサに作用しにくい場所であるので、温度センサが最適の設置場所に設置されることになる。
【００１３】
また、送風装置と敷きふとんとを伸縮ホースで接続すれば、送風装置の設置場所に融通性があって便利である。さらに、温度センサと制御装置との間の連絡配線を伸縮ホース内に設置すると、連絡配線が送風装置と掛けふとん及び敷きふとんとの間で剥き出しになって邪魔になることがなく、納まりがよい。
【００１４】
また、伸縮ホースを、鋼線をコイル状の骨組みとして蛇腹状に伸縮自在に形成したものとし、この伸縮ホース内において鋼線に沿うように温度センサと制御装置との間の連絡配線をコイル状に配置すると、連絡配線に大きな力を作用させることなく、伸縮ホースとともに連絡配線を伸縮させることができる。
【００１５】
また、伸縮ホースを敷きふとんのホース接手に対し着脱自在に接続する接手部に、温度センサのリード線端子を着脱自在に接続可能とする接続端子を設けた場合は、温度センサを敷きふとん内に設置したまま送風装置を取り外しすることができるので、掛けふとん及び敷きふとんの整理整頓が容易になる。
【発明を実施するための最良の形態】
【００１６】
以下本発明の実施例について図面に基づいて説明する。
図１は送風装置を掛けふとん及び敷きふとんに伸縮ホースにより接続した状態を示す側面図である。図２は同接続状態における平面図であって、伸縮ホースが収縮している状態を示す。図３は同接続状態における平面図であって、伸縮ホースが伸張している状態を示す。
これら図に示すように、本実施例に係るエアーコントロールふとんは、送風装置１と、掛けふとん２及び敷きふとん３とが伸縮ホース４、５により接続されている。また、図１〜図３に示すように、ふとん内に通風する供給空気温度を検出するための温度センサ６が敷きふとん３の足元中央部に設置されている。
【００１７】
送風装置１は、図２及び３に示すように、敷きふとんの枕元側から見る方向を正面とすると、左右方向の寸法が、奥行き寸法及び高さ寸法より大きい横長直方体のケーシング１１を備えたものである。ケーシング１１内の左方には、コンデンサーモータ１２で駆動されるシロッコ形送風機１３が収納されている。ケーシング１１の右側背面には室内空気吸込口１４が設けられている。この吸込口１４の内部にはエアーフィルタ１５が設置されている。ケーシング１１の正面中央部には上下に２ヶ所に吹出口１６、１７が設けられ、この吹出口１６、１７には伸縮ホース４、５がそれぞれ接続されている。また、送風機１３の吹出側と吹出口１６、１７との間には電熱式の加熱ヒータ１６が設置されている。
【００１８】
ケーシング１１の右前面側には、送風機１３の発停制御や、加熱ヒータ１６の加熱量の制御などを行うための制御装置２０が取り付けられている。制御装置２０は、温度センサ６が検出する温度を入力し、温度センサ６の検出する温度が一定になるように加熱ヒータ１６の容量を制御している。
【００１９】
掛けふとん２及び敷きふとん３は、通気性が良く軽い羽毛ふとんであって、足元側端部に前記伸縮ホース４、５を接続するためのホース接手２６、２７がそれぞれ設けられている。また、敷きふとん３は、手持ちのふとんやマット３１の上に載せられている。
図４及び図５は、掛けふとん２及び敷きふとん３の横断面図及び縦断面図であって、これら図面に示すように、掛けふとん２及び敷きふとん３の下面側表面部には、それぞれ通風路３２、３３を形成する通風布３４，３５が縫い付けられている。
【００２０】
また、掛けふとん２及び敷きふとん３は、通風路３２、３３からの風の流れをコントロールするように通気性仕切布３８及び不通気性仕切布３９により適宜の大きさに分割されている。
【００２１】
これにより、掛けふとん２では、図６の白抜き矢視のように、送風装置１から供給される供給空気が胸元に流れない空気流れが形成され、敷きふとん３では、図７の白抜き矢視のように、送風装置１から供給される供給空気が中央部で少なくなる空気流れが形成される。また、送風装置１からの供給空気は、このような流れを形成する通風路３２から掛けふとん２及び敷きふとん３内に吐き出され、さらに掛けふとん２及び敷きふとん３内から室内に排出される。
【００２２】
温度センサ６は、敷きふとん３の通風路３３における中央部通路の足元部に配置されている。
伸縮ホース４、５は同一構造のものであって、敷きふとん３に接続される伸縮ホース５は、ホース内に連絡配線４２が通さされる点を除いて伸縮ホース４と同一である。以下伸縮ホース４、５の代表例として敷きふとん３に接続される伸縮ホース５について説明する。
【００２３】
敷きふとん３に接続される伸縮ホース５は、図８（一部を断面で示した側断面図）及び図１０（図８におけるＡ部拡大図）に示すように、コイル状の鋼線４１を骨組みとして蛇腹式に形成したものであって、温度センサ６と制御装置２０とを連通する連絡配線４２が伸縮するホース内を通るように構成されている。より具体的に述べると、連絡配線４２はこのコイル状の鋼線４１の両側に沿ってコイル状に配置されている。また、図９の正面図に示すように、連絡配線４２の端部には端子４２ａが設けられ、この端子４２ａを伸縮ホース５から導出するように構成されている。したがって、この端子４２ａを使用して温度センサ６と接続することができる。
【００２４】
なお、連絡配線４２と温度センサ６との接続を容易にするために、図１１（伸縮ホース５の一部を断面で示した側断面図）、図１２（伸縮ホースの正面図）及び図１３（図１１におけるＢ部拡大図）に示すように、コイル状鋼線４３から中心に向かう３本の支持金４４を設け、その中心部に、敷きふとん３のホース接手２７に連絡配線４２の端子４２ａとセンサ６のリード線端子６ａとを接続する接続端子４５を配置させるように構成してもよい。また、この接続端子４５により、温度センサ６のリード線端子６ａを着脱自在に接続可能に形成される。
【００２５】
実施例は以上のように構成されているので、次のような作用効果を奏することができる。
制御装置２０により温度センサ６の検出する温度が所定温度例えば３２℃となるように加熱ヒータ１６の加熱容量が制御されて、室内空気が掛けふとん２及び敷きふとん３内に供給される。なお、室内空気温度が３２℃より高い場合は、加熱ヒータ１６の加熱出力を０として室内空気がそのまま送風される。なお、掛けふとん２及び敷きふとん３内に供給する空気を以上のように温度コントロールして供給することにより、掛けふとん２及び敷きふとん３内の湿度は約４５〜５０％に制御される。したがって、掛けふとん２及び敷きふとん３の温湿度に関しては理想的な就寝環境を維持することができる。
【００２６】
このように、掛けふとん２及び敷きふとん３に供給される送風装置１からの供給空気温度を検出する温度センサ６が敷きふとん３内に配置されているので、室内空気温度などに影響されることなく、制御対象である掛けふとん２及び敷きふとん３内に供給される供給空気温度を直接制御することができる。これにより掛けふとん２及び敷きふとん３内の温湿度を快適状態に保持することができる。
【００２７】
また、温度センサ６が敷きふとん３内の足元付近の中央部に設置されるので、温度センサ６は、人体に近い部分であって、睡眠中寝返りになどによる力が作用することも少なく、温度センサ６が最適な場所に設置されることになる。
【００２８】
また、送風装置１と敷きふとん３とを伸縮ホース４、５で接続すれば、送風装置１の設置場所に融通性があって便利である。さらに、温度センサ６と制御装置２０との間の連絡配線４２を伸縮ホース５内に設置すると、連絡配線４２が送風装置１と掛けふとん２及び敷きふとん３との間で剥き出しになって邪魔になることがなく、納まりがよい。
【００２９】
また、伸縮ホース４、５を敷きふとん３のホース接手２７に対し着脱自在に接続する伸縮ホース５の接手部５ａに、連絡配線４２の端子４２ａ及び温度センサ６のリード線端子６ａを着脱自在に接続可能とする接続端子４５を設けた場合は、温度センサ６を敷きふとん３内に設置したまま送風装置１を取り外しすることができるので、掛けふとん２及び敷きふとん３の整理整頓が容易になる。
【産業上の利用可能性】
【００３０】
本発明に係るエアーコントロールふとんは、通常の家庭におけるふとんとして使用できる他、特に介護を必要とする老人用寝床などに好適であり、床ずれを防止することができる。
【図面の簡単な説明】
【００３１】
【図１】本発明の実施例に係るエアーコントロールふとんの側面図であり、送風装置を掛けふとん及び敷きふとんに対し伸縮ホースにより接続した状態を示す。
【図２】同接続状態におけるエアーコントロールふとんの平面図であって、伸縮ホースが収縮している状態を示す。
【図３】同接続状態におけるエアーコントロールふとんの平面図であって、伸縮ホースが伸張している状態を示す。
【図４】同エアーコントロールふとんの横断面図である。
【図５】同エアーコントロールふとんの縦断面図である。
【図６】同エアーコントロールふとんの掛けふとんにおける空気流れ状態図である。
【図７】同エアーコントロールふとんの敷きふとんにおける空気流れ状態図である。
【図８】同エアーコントロールふとんの伸縮ホースの側面図であって、部分的に断面で示す。
【図９】同エアーコントロールふとんの伸縮ホースの正面図である。
【図１０】図８におけるＡ部拡大図である。
【図１１】他実施例に係るエアーコントロールふとんの伸縮ホースの側面図であって、部分的に断面で示す。
【図１２】同エアーコントロールふとんの伸縮ホースの正面図である。
【図１３】図１１におけるＢ部拡大図である。
【符号の説明】
【００３２】
１  送風装置
２  掛けふとん
３  敷きふとん
４  伸縮ホース
５  伸縮ホース
５ａ  接手部
６  温度センサ
６ａ  リード線端子
１６  加熱ヒータ
２０  制御装置
４１  （コイル状）鋼線
４２  連絡配線
４２ａ  連絡配線端子
４４  支持金
４５  接続端子
【図１】
2005168621.tif 000003
【図２】
2005168621.tif 000004
【図３】
2005168621.tif 000005
【図４】
2005168621.tif 000006
【図５】
2005168621.tif 000007
【図６】
2005168621.tif 000008
【図７】
2005168621.tif 000009
【図８】
2005168621.tif 000010
【図９】
2005168621.tif 000011
【図１０】
2005168621.tif 000012
【図１１】
2005168621.tif 000013
【図１２】
2005168621.tif 000014
【図１３】
2005168621.tif 000015